(57)【要約】検査装置及び検査装置のハンドルが開示される。例示的な検査装置は、第１の区画部分及びトリガー区画を有する第１のハウジング部分と、第１の区画部分に対して相補的である第２の区画部分を有する第２のハウジング部分であって、第１と第２の区画部分は、第１と第２のハウジング部分とが取り付けられたとき、ヨーク区画を形成する第２のハウジング部分と、第１と第２の区画部分の少なくとも一方の周囲部に配置される取り外し可能なシールであって、取り外し可能なシールは、第１と第２のハウジング部分の間で圧縮されて、ヨーク区画をシールする取り外し可能なシールと、第１のハウジング部分のトリガー区画に対して相補的であるトリガーカバーであって、トリガーカバー及び第２のハウジング部分は、第１のハウジング部分に取り外し可能に取り付けられるトリガーカバーとを備える。
2020526769.tif 000002
【特許請求の範囲】
【請求項１】
検査装置において、
第１の区画部分と、トリガー区画とを有する第１のハウジング部分と、
前記第１の区画部分に対して相補的である第２の区画部分を有する第２のハウジング部分であって、前記第１のハウジング部分と該第２のハウジング部分とが取り付けられると、前記第１の区画部分と該第２の区画部分とがヨーク区画を形成する第２のハウジング部分と、
前記第１の区画部分と、前記第２の区画部分の少なくとも一方の周囲部に配置される取り外し可能なシールであって、該取り外し可能なシールは、前記第１のハウジング部分と前記第２のハウジング部分との間で圧縮されて、前記ヨーク区画をシールする取り外し可能なシールと、
前記第１のハウジング部分の前記トリガー区画に対して相補的であるトリガーカバーであって、該トリガーカバー及び前記第２のハウジング部分は、前記第１のハウジング部分に取り外し可能に取り付けられるトリガーカバーとを具備する検査装置。
【請求項２】
前記第２のハウジング部分を前記第１のハウジング部分から取り外すことなく、前記トリガーカバーを前記第１のハウジング部分から取り外すことができる請求項１に記載の検査装置。
【請求項３】
前記トリガー区画内に配置される電気スイッチ、ばね、及びアクチュエーターを更に備え、前記トリガーカバー及び前記トリガー区画は、取り付けられたとき、前記電気スイッチ、前記ばね、及び前記アクチュエーターを包囲する請求項１に記載の検査装置。
【請求項４】
前記ばねは、前記アクチュエーターによって軸の周りに回転可能に付勢されるトーションばねである請求項３に記載の検査装置。
【請求項５】
前記電気スイッチは、前記トリガーカバーを取り外すことによって交換可能なシールされた電気スイッチである請求項３に記載の検査装置。
【請求項６】
前記トリガーカバーが取り外されているとき、前記取り外し可能なシールが、前記第１のハウジング部分と前記第２のハウジング部分との間で圧縮されている請求項１に記載の検査装置。
【請求項７】
前記取り外し可能なシールは、前記ヨーク区画に対して侵入防止機能を提供する請求項６に記載の検査装置。
【請求項８】
前記第２のハウジング部分及び前記トリガーカバーは、複数の締結具によって前記第１のハウジング部分に取り外し可能に取り付けられる請求項１に記載の検査装置。
【請求項９】
前記第１のハウジング部分、前記第２のハウジング部分、前記トリガーカバーの少なくとも１つは、射出成形される請求項１に記載の検査装置。
【請求項１０】
前記第１のハウジング部分は、第１と第２の脚部開口を有する請求項１に記載の検査装置。
【請求項１１】
前記ヨーク区画内に配置される第１の電磁コイルと、
前記ヨーク区画内に配置される第２の電磁コイルと、
前記第１の脚部開口、前記第１の電磁コイル、前記ヨーク区画、前記第２の電磁コイル、及び前記第２の脚部開口を通って延在するコアとを更に具備する請求項１０に記載の検査装置。
【請求項１２】
前記コアは前記第１の脚部開口において樹脂によってシールされ、前記コアは前記第２の脚部開口において前記樹脂によってシールされる請求項１１に記載の検査装置。
【請求項１３】
前記第１の脚部開口をシールする第１の脚部シールと、前記第２の脚部開口をシールする第２の脚部シールとを更に具備する請求項１１に記載の検査装置。
【請求項１４】
前記第１の脚部シールは前記コア、前記第１と第２のハウジング部分の少なくとも一方を前記コアの厚さの範囲でシールする形状一致材料を含む請求項１３に記載の検査装置。
【請求項１５】
前記第１のハウジング部分は、前記第１の区画部分の前記周囲部に前記取り外し可能なシールを収納するチャネルを有する請求項１に記載の検査装置。
【請求項１６】
前記第１のハウジング部分の前記チャネルにおけるワイヤ開口であって、前記取り外し可能なシールが該ワイヤ開口にわたって広がるように形成されるワイヤ開口と、
前記ヨーク区画と前記トリガー区画との間において前記ワイヤ開口を横断する複数のワイヤとを更に具備する請求項１５に記載の検査装置。
【請求項１７】
前記複数のワイヤは、前記ワイヤ開口において、樹脂とポッティング化合物の少なくとも一方によってシールされる請求項１６に記載の検査装置。
【請求項１８】
前記トリガー区画内の前記複数のワイヤ及び電気スイッチの複数のリードにわたって、防水コネクタが付与される請求項１６に記載の検査装置。
【請求項１９】
前記複数のワイヤは、余分な長さを有する少なくとも１つのサブセクションを有する請求項１６に記載の検査装置。
【請求項２０】
前記第１のハウジング部分は電源プラグ開口を有し、前記検査装置は取り外し可能なプラグを備え、該取り外し可能なプラグは、該取り外し可能なプラグと前記ヨーク区画内の１つ以上の構成部品との間で電流を導通させ、前記取り外し可能なプラグは前記電源プラグ開口をシールする請求項１に記載の検査装置。
【発明の詳細な説明】
【技術分野】
【０００１】
本開示は、包括的には、手持ち式ツールに関し、より詳細には、検査装置及び検査装置のハンドルに関する。
【０００２】
本国際出願は、2018年7月10日出願の米国特許出願第16/031522号「Testing Apparatus and Handles for Testing Apparatus」、及び2017年7月14日出願の米国仮特許出願第62/532893号「Handle for a Testing Apparatus」の優先権を主張する。米国特許出願第16/031522号及び米国仮特許出願第62/532893号は本願と一体をなすものとして引用する。
【背景技術】
【０００３】
磁粉探傷試験（magnetic particle inspection）に用いられる電磁ヨーク等のいくつかの非破壊検査装置は、通常使用時に湿潤環境にさらされる。その結果、そのような非破壊検査装置及び／又は非破壊検査装置の電気部品が、検査装置の流体電気部品に接触する場合がある。従来の湿潤環境検査装置は、典型的には、注型成形された（poured）高重量のエラストマーハウジングによって構成される。容易に理解することができるように、このような検査装置は、重さのために取り扱いが難しく、ソリッド成形（solid molding：固体成形）のために保守点検が難しく、また、長時間使用する過程で操作者に疲労をもたらす結果となり得る。
【発明の概要】
【０００４】
少なくとも１つの図により実質的に示され、その図に関連して実質的に説明される検査装置及び検査装置のハンドルが開示され、特許請求の範囲に完全に記載される。
【０００５】
これらの態様及び／又は他の態様は、添付図面に関連する例示的な実施形態の以下の説明から明らかになり一層容易に理解されよう。
【図面の簡単な説明】
【０００６】
【図１】本開示の態様に係る検査装置の斜視図である。
【図２】図１の例示的な検査装置の一部分の内部の側面図である。
【図３Ａ】図１の例示的な検査装置の第１のハウジング部分の側面図である。
【図３Ｂ】図１の例示的な検査装置のトリガーカバーの側面図である。
【図３Ｃ】図１の例示的な検査装置の第２のハウジング部分の側面図である。
【図４】図１の例示的な検査装置の第１のハウジング部分に取り付けられたトリガーカバーの側面図である。
【図５】図１の例示的な検査装置のトリガーカバー及び第１のハウジング部分の分解図である。
【図６Ａ】図１の例示的な検査装置のトリガー区画の詳細図である。
【図６Ｂ】図１の例示的な検査装置のトリガー区画の詳細図である。
【発明を実施するための形態】
【０００７】
図面は、必ずしも正確な縮尺ではない。適切な場合は、同様の又は同一の参照番号を使用して、同様の又は同一の構成要素を指す。
【０００８】
開示される例示的な検査装置は、第１の区画部分及びトリガー区画を有する第１のハウジング部分と、第１の区画部分に対して相補的である第２の区画部分を有する第２のハウジング部分であって、第１のハウジング部分と第２のハウジング部分とが取り付けられると、前記第１と第２の区画部分がヨーク区画を形成する第２のハウジング部分と、第１と第２の区画部分の少なくとも一方の周囲部に配置され、第１のハウジング部分と第２のハウジング部分との間で圧縮されてヨーク区画をシールする取り外し可能なシールと、第１のハウジング部分のトリガー区画に対して相補的であるトリガーカバーであって、トリガーカバー及び第２のハウジング部分は、第１のハウジング部分に取り外し可能に取り付けられるトリガーカバーとを備える。
【０００９】
いくつかの例示的な検査装置において、第２のハウジング部分を第１のハウジング部分から取り外すことなく、トリガーカバーを第１のハウジング部分から取り外すことができる。いくつかの例は、トリガー区画内に配置される電気スイッチ、ばね、及びアクチュエーターを更に備え、トリガーカバーとトリガー区画とは、取り付けられると、電気スイッチ、ばね、及びアクチュエーターを包囲する。いくつかの例において、ばねは、アクチュエーターによって軸の周りに回転可能に付勢されるトーションばねである。いくつかの例において、電気スイッチは、トリガーカバーを取り外すことによって交換可能なシールされた電気スイッチである。
【００１０】
いくつかの例示的な検査装置において、トリガーカバーが取り外されているとき、取り外し可能なシールが、第１のハウジング部分と第２のハウジング部分との間で圧縮されている。いくつかの例において、取り外し可能なシールは、ヨーク区画に対して侵入防止機能（ingress protection）を提供する。いくつかの例において、第２のハウジング部分及びトリガーカバーは、複数の締結具によって第１のハウジング部分に取り外し可能に取り付けられる。いくつかの例において、第１のハウジング部分、第２のハウジング部分、トリガーカバーの少なくとも１つは射出成形される。
【００１１】
いくつかの例において、第１のハウジング部分は、第１の脚部開口及び第２の脚部開口を有する。いくつかの例示的な検査装置は、ヨーク区画内に配置される第１の電磁コイルと、ヨーク区画内に配置される第２の電磁コイルと、第１の脚部開口、第１の電磁コイル、ヨーク区画、第２の電磁コイル、及び第２の脚部開口を通って延在するコアとを更に具備する。いくつかの例において、コアは、第１の脚部開口において樹脂によってシールされ、コアは、第２の脚部開口において樹脂によってシールされる。いくつかの例は、第１の脚部開口をシールする第１の脚部シールと、第２の脚部開口をシールする第２の脚部シールとを更に具備する。いくつかの例において、第１の脚部シールは、コアと、第１と第２のハウジング部分の少なくとも一方と、コアの厚さの範囲でシールする形状一致材料（conforming material）を含む。
【００１２】
いくつかの例示的な検査装置において、第１のハウジング部分は、第１の区画部分の周囲部に取り外し可能なシールを収納するチャネルを有する。いくつかの例示的な検査装置は、第１のハウジング部分のチャネルにおけるワイヤ開口であって、取り外し可能なシールがワイヤ開口にわたって広がるワイヤ開口と、ヨーク区画とトリガー区画との間でワイヤ開口を横断する複数のワイヤとを更に具備する。いくつかの例において、複数のワイヤは、ワイヤ開口において、樹脂とポッティング化合物の少なくとも一方によってシールされる。いくつかの例において、トリガー区画内の複数のワイヤ及び電気スイッチの複数のリードにわたって、防水コネクタが付与される。いくつかの例において、複数のワイヤは、余分な長さを有する少なくとも１つのサブセクションを有する。
【００１３】
いくつかの例示的な検査装置において、第１のハウジング部分は、電源プラグ開口を有し、検査装置は、取り外し可能なプラグを備え、取り外し可能なプラグは、取り外し可能なプラグとヨーク区画内の１つ以上の構成部品との間で電流を導通させる取り外し可能なプラグは電源プラグ開口をシールする。
【００１４】
図１は、図１の例では磁粉探傷試験に用いられる電磁ヨークである例示的な検査装置１を示している。検査装置１は、第１のハウジング部分１０と、第２のハウジング部分２０と、トリガーカバー４０とを備える。第１のハウジング部分１０と第２のハウジング部分２０とは、接合されるか又は取り付けられると、例示的な検査装置１の電磁部品を収容するヨーク区画１７を形成する。第２のハウジング部分２０及びトリガーカバー４０は、複数のねじ５０、リベット、及び／又は他の任意のタイプの締結具によって、第１のハウジング部分１０に別々に取り外し可能に取り付けられる。
【００１５】
検査装置１は、湿潤環境において用いられることが多い。検査を受ける物品に対して磁粉溶液を注ぐか又は塗布し、次に、電磁ヨークを用いて、検査を受ける物品に磁界を印加する。使用者は、検査装置１にあるトリガー又はアクチュエーター４４を押して、少なくとも１つの電磁（ＥＭ）コイル６２、６４（図２に示されている）を起動する。コア６６は、第１の電磁コイル６２、ヨーク区画１７、及び第２の電磁コイル６４を通って延在する。コア６６は、検査装置１から延在して検査を受ける物品に接触する第１の脚部６３及び第２の脚部６５において終端する。例示的なコア６６は、強磁性材料の複数の積層を用いて構成される。
【００１６】
図２は、検査装置１の内部を示している。第１のハウジング部分１０は、第１の電磁コイル６２及び第２の電磁コイル６４が配置されている第１の区画部分１２を備える。ワイヤ及び接触バーにより、コイル６２、６４が電源（電源プラグ開口１９を通した入力）に接続する。取り外し可能なプラグ２１は、電源プラグ開口１９に着脱可能に接続し、水分又は他の異物粒子の侵入を防ぐように電源プラグ開口１９をシールする。例示的な取り外し可能なプラグ２１は、電源に接続することができ、ヨーク区画１７内の配線を介してコイル６２、６４に電力を伝送する。
【００１７】
コア６６は、第１のＥＭコイル６２から第１の脚部開口１６を通って延在し、第１の脚部６３において終端する。同様に、コアは、第２のＥＭコイル６４から第２の脚部開口１８を通って延在し、第２の脚部６５において終端する。いくつかの例において、コア６６及び／又は第１の脚部６３は、第１の脚部開口１６において樹脂１５によってシールされ、第２の脚部６５及び／又はコア６６は、第２の脚部開口１８において樹脂１５によってシールされる。付加的又は代替的に、第１の脚部６３、第２の脚部６５、及び／又はコア６６は、第１の脚部開口１６及び／又は第２の脚部開口１８において、コア６６及び／又は第１の脚部６３若しくは第２の脚部６５、並びに第１のハウジング部分１０及び／又は第２のハウジング部分２０に対してシールする、形状一致材料によってシールされる。樹脂１５又は形状一致材料は、コア６６を構成するのに用いられる積層の厚さに生じ得る変動にもかかわらず、開口１６、１８をシールすることが可能である。
【００１８】
第２のハウジング部分２０（図３Ｃに示されている）は、第１のハウジング部分１０に接続される。ハウジング部分１０、２０間には、取り外し可能なシール３０が配置される。シール３０は、（例えば、限定はしないが、水及び微粒子に対する）侵入防止機能を提供する。図示の例では、シール３０は、第１のハウジング部分１０のチャネル１３内に配置される。シール３０は、ハウジング部分１０、２０をともに接合し、シール３０の圧縮によって侵入防止機能を提供する。取り外し可能なシール３０は、例えば、限定はしないが、ガスケット又はＯリングとすることができる。図２に示されているように、取り外し可能なシール３０は、第１の区画部分の周囲部に配置され、トリガー区画１４（図２のトリガーカバー４０によって覆われる）は除外する。シール３０は、第１の脚部開口１６及び第２の脚部開口１８を横断する。
【００１９】
図３Ａは、第１の区画部分１２及びトリガー区画１４を有する第１のハウジング部分１０を示している。周囲部／チャネル１３（取り外し可能なシール３０が配置される）は、第１の区画部分１２を囲み、トリガー区画１４は除外する。したがって、取り外し可能なシール３０は、ＥＭコイル及び関連する電気部品に対する侵入防止機能を提供する。第１のハウジング部分１０は、第２のハウジング部分２０を受けると、第１の区画部分１２と第２の区画部分２２（図３Ｃに示されている）との間にヨーク区画１７を完成させる。さらに、第１のハウジング部分１０は、トリガーカバー４０（図３Ｂに示されている）を受ける。
【００２０】
図３Ｂは、検査装置１のトリガーカバー４０を示している。トリガーカバー４０は、プラスチックから射出成形される。いくつかの実施形態において、第１のハウジング部分１０及び第２のハウジング部分２０は、同様に射出成形される。トリガーカバー４０の形状は、第１のハウジング部分１０のトリガー区画１４に対して相補的である。トリガーカバー４０は、第１のハウジング部分に取り外し可能に取り付けられるように、少なくとも１つのねじを収納する。図５は、トリガーカバー４０及び第１のハウジング部分１０の分解図を示している。カバー４０と第１のハウジング部分１０との間には、電気スイッチ４２、アクチュエーター４４、ばね４６、及び軸４８が配置される。いくつかの例において、電気スイッチ４２は、侵入防止機能を提供するようにシールされた電気スイッチである。電気スイッチ４２の例示的な実施態様は、単極単投、単極双投、及び／又は他の任意のタイプのスイッチを含む、シールされたスナップアクション式の基本的なスイッチを含む。
【００２１】
例示的なばね４６は、トーションばねである。軸４８の周りに回転するトーションばね４６は、フットプリントが小さいため、トリガー区画１４及びトリガーカバー４０の寸法をより小さくすることができる。検査装置の使用者がアクチュエーター４４を押すと、軸４８の周りでばね４６が捻れ、電気スイッチ４２が作動する。これにより、ＥＭコイル６２、６４が通電され、脚部６３、６５が検査を受ける物品に磁界を印加する。図６Ａは、トリガーカバー４０を取り外した状態で、トリガー区画１４内の構成部品４２、４４、４６、及び４８の詳細図を示している。
【００２２】
図３Ｃは、本開示の検査装置１の第２のハウジング部分２０を示している。第２のハウジング部分２０は、第１のハウジング部分１０の第１の半区画１２に対して相補的である第２の区画部分２２を有する。第１の脚部開口２６及び第２の脚部開口２８は、第１のハウジング部分１０の関連する開口１６、２８に対して相補的である。上述したように、区画部分１２、２２は、ヨーク区画１７を形成する。ヨーク区画１７の中身（ＥＭコイル６２、６４、コア６６、及び関連する電気部品及び／又は配線）は、取り外し可能なシール３０によって水及び微粒子の侵入から保護される。シール３０は、ハウジング部分１０、２０によって圧縮される。
【００２３】
第１のハウジング部分１０は、トリガー区画１４を有するが、第２のハウジング部分２０は、第２の区画部分２２のみを有する。いくつかの例において、第２のハウジング部分２０が、第１のハウジング部分１０のチャネル１３と同様のチャネルを有し、第２の区画部分２２の周囲部に取り外し可能なシール３０を収納する。いくつかの例において、ハウジング部分１０、２０は、複数のねじ５０によって取り外し可能に取り付けられる。ハウジング部分１０、２０を取り外した後に再度取り付ける場合、第１の脚部開口２６及び第２の脚部開口２８に対して樹脂１５が再度付与され得る。
【００２４】
図４は、第２のハウジング部分２０は取り付けられずに、検査装置１の第１のハウジング部分１０に取り外し可能に取り付けられたトリガーカバー４０を示している。この図は、第２のハウジング部分２０及びトリガーカバー４０が第１のハウジング部分１０から別々に取り外し可能であることを示すために与えられている。使用の際、トリガーカバー４０は、電気スイッチ４２、アクチュエーター４４、ばね４６、及び／又は軸４８の保守点検のために、第２のハウジング部分２０よりも頻繁に取り外される。
【００２５】
トリガー区画１４及びトリガーカバー４０が取り外し可能なシール３０によって囲まれ保護される領域から除外されることから、ヨーク区画（区画部分１２、２２によって形成される）は、トリガーカバー４０の取り外しによる影響を受けない。したがって、本開示の検査装置１は、ハウジング部分１０、２０が（流し込み成形の代わりに）射出成形されるため、より軽量となるが、依然として、取り外し可能なシール３０によって少なくとも部分的に侵入防止機能が提供される。さらに、取り外し可能なシール３０の外側にあり、トリガーカバー４０によって別個に覆われる、第１のハウジング部分１０の別個のトリガー区画１４は、第２のハウジング部分２０を取り外すことなく容易にアクセス可能である。検査装置の検査装置１の使用者又は修理工は、トリガーカバー４０の下のトリガー構成部品４２、４４、４６、又は４８を、（従来の検査装置ハンドルのように）ハンドルを破壊することもなく、樹脂１５を開口１６、１８、２６、２８に再度付与することもなく、交換することが可能である。
【００２６】
図６Ｂは、第１のハウジング部分１０のトリガー区画１４の詳細図を示している。ばね４６は、使用者がアクチュエーター４４を押すことによって、付勢又は付勢解除される。１つの実施形態において、ばね４６は、トーションばねである。トーションばね４６は、軸４８（アクチュエーター４４の後ろ、図４に示されている）の周りに回転する。トーションばね４６、軸４８、及びアクチュエーター４４は、フットプリントが小さく、すなわち、トリガー区画１４内で最小限の表面積を占め、トリガーカバー４０内へ最小限の高さを有する。したがって、検査装置１においてより小さなトリガー区画１４及びトリガーカバー４０を用いることができる。ばね４６の様々な寸法及び物理的特性が可能である。
【００２７】
使用者がアクチュエーター４４を十分に押下すると、電気スイッチ４２が作動する。そして、ＥＭコイル６２、６４が通電され、脚部６３、６５が検査を受ける物品に磁界を印加する。１つの実施形態において、電気スイッチ４２は、水及び微粒子に対する侵入防止機能を備えるシールされた電気スイッチである。シールされた電気スイッチ４２は、複数のリード７６を有する（リードは、例えば、限定はしないが、接点とも称することができる）。複数のワイヤ７１、７２が、複数のリード７６においてスイッチ４２に接続する。複数のワイヤ７１、７２は、スイッチ４２から検査装置１内の別の構成部品（例えば、限定はしないが、プロセッサ）へとトリガー信号を送信する。
【００２８】
図６Ｂの例では、複数のワイヤ７１、７２は、トリガー区画１４から第１の区画部分１２を通る。図６Ａに示されているように、第１のハウジング部分１０は、チャネル１３における第１のワイヤ開口２３と、ポッティングチャンバー２４と、ポッティングチャンバー２４とトリガー区画１４との間の第２のワイヤ開口２５とを有する。取り外し可能なシール３０は、ワイヤ開口２３を横断する。第１のワイヤ開口２３、ポッティングチャンバー２４、及び第２のワイヤ開口２５により、電気スイッチ４２からのワイヤをヨーク区画１７内に導くことを可能にしながらも、トリガー区画１４内に浸透し得る流体の侵入を防止する。例えば、ワイヤ７１、７２を第１のワイヤ開口２３、ポッティングチャンバー２４、及び第２のワイヤ開口２５に通してヨーク区画１７内に導いた後、第１のワイヤ開口２３、ポッティングチャンバー２４、及び第２のワイヤ開口２５の残りの空間は、ポッティング材、樹脂、又は他のシール材によって充填し、トリガーカバー４０が取り外されている間も含め、流体がヨーク区画１７内に侵入することを防ぐことができる。構成部品４２、４４、４６、４８、及びワイヤ／接点７１、７３、７６は、第２のハウジング部分２０を取り外すことなく、トリガーカバー４０を第１のハウジング部分１０のトリガー区画１４から取り外すことによって、保守点検のためにアクセス可能である。
【００２９】
他の例において、防水コネクタ７５が、複数のワイヤ７１、７２及び電気スイッチ４２のリード７６の周りに付与される。防水コネクタ７５は、例えば、限定はしないが、熱収縮圧着コネクタである。防水コネクタは、電気スイッチ４２のワイヤ７１、７２及びリード７６に侵入防止機能を提供する。したがって、トリガー区画１４の中身は、トリガー区画が第１の区画部分１２の周囲部の取り外し可能なシール３０から除外されているにもかかわらず、水及び微粒子から保護される。
【００３０】
いくつかの例において、複数のワイヤ７１、７２は、余分な長さを有するいくつかのサブセクション７４を有する。サブセクション７４は、電気スイッチ４２の保守点検の際に切断するための追加のワイヤを提供する。使用者は、例えば、限定はしないが、ワイヤ７１、７３の切断を必要として、電気スイッチ４２を交換することができる。余分な長さを有するサブセクション７４があると、使用者は、第１のハウジング部分１０から第２のハウジング部分２０を取り外すことなく、及び／又はヨーク区画１７からワイヤ開口７３を通してトリガー区画１４に新しいワイヤを引くことなく、またおそらくは取り外し可能なシール３０及びチャネル１３の侵入防止機能を損なうことなく、ワイヤ７１、７３を切断して、残りの長さを新しい電気スイッチ４２に接続することができる。１つの実施形態において、トリガー区画内の複数のワイヤ７１、７３は、２インチを超える長さである（すなわち、余分な長さのサブセクション７４は、３インチであるか、又は、複数のワイヤ７１、７２のそれぞれに各１／２インチの長さの４つのサブセクション７４が存在する）。別の実施形態において、トリガー区画内の複数のワイヤ７１、７３は、４インチを超える長さである。
【００３１】
したがって、開示される例示的な検査装置及び検査装置のハンドルは、第１のハウジング部分１０と、第２のハウジング部分２０と、取り外し可能なシール３０と、トリガーカバー４０とを備える。トリガーカバー４０及び第２のハウジング部分２０は、第１のハウジング部分１０に取り外し可能に取り付けられる。第１のハウジング部分１０は、第１の区画部分１２及びトリガー区画１４を有する。第２のハウジング部分２０は、第１の区画部分１２に対して相補的である第２の区画部分２２を有する。取り外し可能なシール３０は、第１のハウジング部分１０と第２のハウジング部分２０との間で圧縮され、第１の区画部分１２の周りに配置され、トリガー区画１４を除外する。トリガーカバー４０は、第１のハウジング部分のトリガー区画１４に対して相補的である。
【００３２】
開示される例示的な検査装置及び検査装置のハンドルは、特に、磁粉探傷試験において用いるのにより軽量でより人間工学的な検査装置１であるという利点を提供する。別個のトリガーカバー４０は、ヨーク区画１７の周りのシール３０に悪影響を与えることなく、電気スイッチ４２の保守点検に際して、より良好なアクセスを可能にする。したがって、（水、埃等に対する）侵入防止機能は、トリガーカバー４０が取り外されている間も変わりがない。
【００３３】
本明細書で使用する「回路」及び「回路構成」という用語は、物理的な電子コンポーネント（すなわち、ハードウェア）と、ハードウェアを構成することができ、ハードウェアが実行することができ、及び／又は他の方法でハードウェアに関連付けることができる、任意のソフトウェア及び／又はファームウェア（「コード」）とを指す。本明細書で用いる場合、例えば特定のプロセッサ及びメモリは、コードの第１の１つ以上のラインを実行しているとき、第１の「回路」を含むことができ、コードの第２の１つ以上のラインを実行しているとき、第２の「回路」を含むことができる。本明細書で使用する「及び／又は」は、「及び／又は」によって連結されるリストにおける項目のうちの任意の１つ以上の項目を意味する。一例として、「ｘ及び／又はｙ」は、３つの要素の組｛（ｘ），（ｙ），（ｘ，ｙ）｝のうちの任意の要素を意味する。言い換えれば、「ｘ及び／又はｙ」は、「ｘ及びｙのうちの一方又は両方」を意味する。別の例として、「ｘ、ｙ及び／又はｚ」は、７つの要素の組｛（ｘ），（ｙ），（ｚ），（ｘ，ｙ），（ｘ，ｚ），（ｙ，ｚ），（ｘ，ｙ，ｚ）｝のうちの任意の要素を意味する。言い換えれば、「ｘ、ｙ及び／又はｚ」は、「ｘ、ｙ及びｚのうちの１つ以上」を意味する。本明細書で使用する「例示的な」という用語は、非限定的な例、事例又は例証としての役割を果たすことを意味する。本明細書で使用する「例えば」という用語は、１つ以上の非限定的な例、事例又は例証のリストを開始する。本明細書で使用する場合、回路構成は、或る機能を実施するために必要なハードウェア及びコード（いずれかが必要である場合）を含む場合はいつでも、その機能の実施が（例えば、ユーザーが構成可能な設定、工場トリム等により）無効にされる又は有効にされていないか否かに関わりなく、回路構成はその機能を実行するように「動作可能」である。
【００３４】
上記に引用した特許及び特許公報は、引用することによってその全体が本明細書の一部をなす。本方法及び／又はシステムを、或る特定の実施態様を参照して記載してきたが、当業者であれば、本方法及び／又はシステムの範囲から逸脱することなく、種々の変更を行うことができること及び均等物に置き換えることができることを理解するであろう。加えて、本開示の範囲から逸脱することなく、本開示の教示に対して特定の状況又は材料を適合させるように多くの改変を行うことができる。したがって、本方法及び／又はシステムは、開示されている特定の実施態様に限定されない。代わりに、本方法及び／又はシステムは、字義どおりにでも均等論のもとにおいても、添付の特許請求の範囲内に入る全ての実施態様を含む。
【符号の説明】
【００３５】
１    検査装置
１０    第１のハウジング部分
１２    第１の区画部分
１３    チャネル
１４    トリガー区画
１５    樹脂
１６    第１の脚部開口
１７    ヨーク区画
１８    第２の脚部開口
１９    電源プラグ開口
２０    第２のハウジング部分
２１    プラグ
２２    第２の区画部分
２３    第１のワイヤ開口
２４    ポッティングチャンバー
２５    第２のワイヤ開口
２６    第１の脚部開口
２８    第２の脚部開口
３０    シール
４０    トリガーカバー
４２    電気スイッチ
４４    アクチュエーター
４６    トリガー構成部品
４８    軸
６２    第１のＥＭコイル
６３    第１の脚部
６４    第２のＥＭコイル
６５    第２の脚部
６６    コア
７１    ワイヤ
７２    ワイヤ
７３    ワイヤ開口
７４    サブセクション
７５    防水コネクタ
７６    リード
【図１】
2020526769.tif 000003
【図２】
2020526769.tif 000004
【図３Ａ】
2020526769.tif 000005
【図３Ｂ】
2020526769.tif 000006
【図３Ｃ】
2020526769.tif 000007
【図４】
2020526769.tif 000008
【図５】
2020526769.tif 000009
【図６Ａ】
2020526769.tif 000010
【図６Ｂ】
2020526769.tif 000011
【国際調査報告】
2020526769.tif 000012
2020526769.tif 000013
2020526769.tif 000014